(57)【要約】【課題】蓄電池盤の重量を抑制し、安定姿勢で吊り上げできる蓄電池盤の吊り構造を提供する。【解決手段】複数の蓄電池を多段、多列に収納すると共に、前面に開閉扉２１Ｆを有した蓄電池盤２１を吊り上げるための吊り金具５１を備え、吊り金具５１には、蓄電池盤２１の長辺に配列された少なくとも３個以上の吊り孔２５Ｈに対応した数の係止部材（５３）と、４点吊り用のワイヤー６１を係止するワイヤー係止部（５５）とを備えるようにした。【選択図】図５
2010277788.tif 000002
【特許請求の範囲】
【請求項１】
複数の蓄電池を多段、多列に収納すると共に、前面に開閉扉を有した蓄電池盤を吊り上げるための吊り金具を備え、
吊り金具には、前記蓄電池盤の長辺に配列された少なくとも３個以上の吊り孔に対応した数の係止部材と、４点吊り用のワイヤーを係止するワイヤー係止部とを備えたことを特徴とする蓄電池盤の吊り構造。
【発明の詳細な説明】
【技術分野】
【０００１】
本発明は、複数の蓄電池を収納した蓄電池盤の吊り構造に関する。
【背景技術】
【０００２】
従来、ＵＰＳ（無停電電源装置）等に最適な制御弁式鉛蓄電池を、多段、多列に収納した大容量蓄電池盤が提案されている（特許文献１参照）。
上記蓄電池盤は、複数の蓄電池を筐体内に組み付けた状態で工場出荷し、そのままの状態で、ビル内のＵＰＳ収容室に搬入し、据え付け等が行われる。これら移載の過程では、蓄電池盤の天井板に固定した枠部材の吊り部の一対の長辺に設けた吊り孔に、ワイヤーを引っかけて、ワイヤーで４点吊りして移載するのが一般的である。
【先行技術文献】
【特許文献】
【０００３】
【特許文献１】特開２０００−２４３３６９号公報
【発明の概要】
【発明が解決しようとする課題】
【０００４】
しかし、大容量ＵＰＳ等では、１個５０ｋｇ重量の鉛蓄電池を、３０個ほど一つの蓄電池盤に収容するものがあり、鉛蓄電池の重量に、蓄電池盤の筐体の重量を加算すると、全体で２トンくらいの重量物となる。その重量が２トンを越えるようになると、蓄電池盤の大きさ、とりわけ長辺の長さが長くなり、ワイヤーで４点吊りした場合、枠部材の吊り部、或いは蓄電池盤が長辺方向に変形する恐れがある。
これを解消するため、従来、例えば枠部材の吊り部の一対の長辺に、それぞれ３個程度の吊り孔を設けて、合計６点吊りを行うか、或いは、枠部材の剛性を高めて、ワイヤーで４点吊りした場合の変形を防止することが提案される。
【０００５】
しかし、ワイヤーでの６点吊りは、各々のワイヤーに均等に荷重配分することが困難になり、吊り姿勢が安定しない。また、枠部材の剛性を高めた場合には、その分だけ蓄電池盤の重量が大きくなるため、工場出荷時や、ビル内のＵＰＳ収容室への搬入や、据え付け等が困難になるという問題がある。
そこで、本発明の目的は、蓄電池盤の重量を抑制し、安定姿勢で吊り上げできる蓄電池盤の吊り構造を提供することにある。
【課題を解決するための手段】
【０００６】
上記目的を達成するために、本発明は、複数の蓄電池を多段、多列に収納すると共に、前面に開閉扉を有した蓄電池盤を吊り上げるための吊り金具を備え、吊り金具には、前記蓄電池盤の長辺に配列された少なくとも３個以上の吊り孔に対応した数の係止部材と、４点吊り用のワイヤーを係止するワイヤー係止部とを備えたことを特徴とする。
この構成によれば、吊り金具には、前記蓄電池盤の長辺に配列された少なくとも３個以上の吊り孔に対応した数の係止部材と、４点吊り用のワイヤーを係止するワイヤー係止部とを備えるので、吊り孔が設けられる枠部材等の剛性を特別に高めることなく蓄電池盤を安定した吊り姿勢で移載することができる。従って、枠部材等の剛性向上に伴う蓄電池盤の重量増加を避けつつ、安定姿勢で吊り上げることができる。
【発明の効果】
【０００７】
本発明は、蓄電池盤の重量を抑制し、安定姿勢で吊り上げできる蓄電池盤の吊り構造を提供することができる。
【図面の簡単な説明】
【０００８】
【図１】ＵＰＳを示す図である。
【図２】蓄電池盤の内部を示す図である。
【図３】蓄電池盤の上部を示す図である。
【図４】吊り金具の斜視図である。
【図５】吊り金具を蓄電池盤と共に示す図である。
【図６】変形例に係る吊り金具を蓄電池盤と共に示す図である。
【発明を実施するための形態】
【０００９】
以下、図面を参照して本発明の一実施の形態について説明する。
図１は、ＵＰＳ（無停電電源装置）を示す図である。
このＵＰＳ１０は、コンピューター設備等に安定した交流電力を供給する交流無停電電源装置であり、電力変換装置盤１１と、この電力変換装置盤１１に接続される複数台の大容量蓄電池盤（以下、蓄電池盤という）２１とを備える。
電力変換装置盤１１と蓄電池盤２１とは、略同寸法の横長ボックス形状に形成されており、いずれも横長の一面が正面とされ、この正面が同方向に指向するように側面同士を付き合わせて横並びに配置される。また、ＵＰＳ１０を設置するＵＰＳ収容室の制約、或いは、多数の蓄電池盤２１が必要になる等の事情がある場合には、さらに背面同士を付き合わせる等して多列で配置される。
【００１０】
図２は蓄電池盤２１の内部を示す図であり、図３は蓄電池盤２１の上部を示す図である。
図２に示すように、この蓄電池盤２１の筐体２１Ａは、直方体の骨組み体に、左右の側面板２１Ｂ、背面板２１Ｃ、底板２１Ｄおよび天井板２１Ｅを溶接等で取り付け、前面の開口面に、左右一対のドア板（開閉扉）２１Ｆをヒンジを介して両開きに開閉自在に取り付けることによって形成される。なお、図１中、符合２１Ｇは、ドア板２１Ｆの取っ手であり、符合２１Ｈは、空気流通孔である。また、符合１１Ｆ、１１Ｇおよび１１Ｈは、電力変換装置盤１１のドア板、取っ手および空気流通孔である。
大容量の蓄電池盤２１では、図２に示すように、筐体２１Ａの内部に、複数（本例では３個）の棚板２２が上下に間隔を空けて設けられ、各棚板２２には、複数の制御弁式鉛蓄電池３１が横並びで配置される。これによって、この蓄電池盤２１には、多数の蓄電池３１が多段、多列で収容される。
【００１１】
図３に示すように、蓄電池盤２１の天井板２１Ｅには、枠部材２４が取り付けられる。この枠部材２４は、蓄電池盤２１を吊り上げるための前後一対の吊り部２５と、蓄電池盤２１同士、又は、蓄電池盤２１および電力変換装置盤１１を連結するための左右一対の連結部２７とを備えている。
この一対の吊り部２５は、天井板２１Ｅにおける前後一対の長辺に沿って上方凸条に延在する凸条部２５Ａを備える断面Ｌ字状の板部材で各々形成され、凸条部２５Ａの各々に、長辺に沿って間隔を空けて吊り孔２５Ｈが設けられる。また、凸条部２５Ａの裏側には、吊り孔２５Ｈを補強するための補強用プレート２８が吊り孔２５Ｈの数だけ取り付けられている。
なお、この吊り部２５および連結部２７は、全ての蓄電池盤２１と電力変換装置盤１１とで同じものが設けられて外観上の統一が図られている。
【００１２】
図３に示すように、一対の吊り部２５の両端部間には、天井板２１Ｅの一対の短辺に沿って上方凸条に延在する凸条部２７Ａを備える断面Ｌ字条板部材からなる左右一対の連結部２７が設けられる。この連結部２７は、隣接する蓄電池盤２１或いは電力変換装置盤１１を、所定の締結具（例えば、ボルトとナット）を用いて連結するための部材である。
すなわち、この連結部２７は、一対の連結用孔２７Ｈを有し、当該蓄電池盤２１の側面に他の蓄電池盤２１或いは電力変換装置盤１１を付き合わせた場合に、他の蓄電池盤２１或いは電力変換装置盤１１に設けられた同一の連結部２７の連結用孔２７Ｈと連通し、不図示のボルト・ナット等の締結具を用いることによって隣接する機器同士を連結させる。
【００１３】
ここで、この蓄電池盤２１は、多数の制御弁式鉛蓄電池３１を収容する大容量蓄電池盤であるため、蓄電池３１を含めた蓄電池盤２１全体が最大で２トン程度とかなりの重量となる他、蓄電池３１の収納スペースを確保すべく蓄電池盤２１の長辺が長くなり大型化する。
長辺が長くなる理由は、高さや奥行き寸法を長くする場合と比較して、既存の電力変換装置盤１１や大容量でない他の蓄電池盤と並べて設置した際に、高さや奥行き寸法を揃えて配置できるという利点があり、かつ、側面板２１Ｂ等の部品の共通化等が図れるからである。
【００１４】
ところで、この種の蓄電池盤２１は多数の制御弁式鉛蓄電池３１を筐体２１Ａ内に組み付けた状態で工場出荷し、そのままの状態でＵＰＳ収容室に搬入し、据え付け等が行われるため、工場出荷時や搬入据え付け時に、かなりの重量を有する状態でワイヤー吊りが行われる。
上記のように蓄電池盤２１の長辺が長い場合には、蓄電池盤２１をワイヤーで４点吊りした際に吊り部２５や蓄電池盤２１が長辺方向に変形する恐れが生じるため、４点吊りより多い多点吊りを行って一点にかかる荷重を減らすか、吊り部２５や筐体２１Ａの剛性を高めて４点吊りでも変形を防止することが考えられる。
しかし、吊り部２５や筐体２１Ａの剛性を高める方法は、吊り部２５や筐体２１Ａの重量増大を招いてしまい、据え付けのしやすさ等の観点からできるだけ軽量にしておくことが望まれる蓄電池盤２１には好ましくない。
さらに、片方２点の計４点吊りの場合は同じ長さの２本のワイヤーをクレーンのフックに引っ掛けることで、各ワイヤーに掛かる荷重を均等にすることができるが、例えば、片方を３点として計６点吊りの場合、ワイヤーに掛かる荷重を均等にすることは困難であり、煩わしい。
そこで、本実施形態の蓄電池盤２１では、吊り部２５等の剛性を高めるのではなく、各吊り部２５に長辺に沿って３個の吊り孔２５Ｈを等間隔で設けることで、６点吊りに対応するようにし、しかもワイヤーへの荷重が均等に掛かるように構成している。
【００１５】
次に、この蓄電池盤２１を６点吊りするための吊り金具５１を説明する。
図４は、吊り金具５１の斜視図であり、図５は、吊り金具５１を蓄電池盤２１と共に示した図である。
図４および図５に示すように、吊り金具５１は、吊り金具５１の主部を構成する吊り金具本体に、構造用鋼材の１つである溝鋼（溝形鋼とも称する）５２を用い、この溝鋼５２の下面に、蓄電池盤２１の長辺に沿って配列された３個の吊り孔２５Ｈに対応した数のシャックル（係止部材）５３をＵ字ボルト５４を介して各々取り付け、溝鋼５２の上面に、４点吊り用のワイヤー６１を係止するためのアイボルト（ワイヤー係止部）５５を取り付けて構成される。
この吊り金具５１に使用される溝鋼５２は、蓄電池盤２１の長辺の長さと略同程度の長さで直線状に延び、より具体的には、蓄電池盤２１の長辺より若干短い長さに形成されることで、一対の連結部２７（図３参照）間に入って天井板２１Ｅに載置可能な長さとされている。
【００１６】
また、溝鋼５２は断面コ字形を有するため、図４に示すように側方（水平方向）に向けて開口する姿勢にすることで、下面を構成する下板部５２Ａと、上面を構成する上板部５２Ｂと、上下の板部５２Ａ、５２Ｂをつなぐ連結板部５２Ｃとを備える。
この下板部５２Ａには、長手方向に間隔を空けて下方に突出するように上述した３個のＵ字ボルト５４がナット止めにより固定される。また、上板部５２Ｂには、長手方向に間隔を空けて上方に突出するように上述した２個のアイボルト５５が上板部５２Ｂに直接螺合されて固定される。
この場合、Ｕ字ボルト５４は、その一対の足部を溝鋼５２の長手方向に間隔を空けて固定されて、溝鋼５２の幅方向に貫通する間隙を有する輪っか部を形成する。従って、この輪っか部にシャックル５３を通した場合には、シャックル５３が溝鋼５２の前後方向および幅方向に揺動自在となり、特に幅方向に大きく揺動自在となる。すなわち、Ｕ字ボルト５４は、シャックル５３を揺動自在に支持する支持部材として機能する。
【００１７】
また、各々のシャックル５３およびＵ字ボルト５４は、いずれも同一部品であり、これらは剛体であるため、各々のシャックル５３を蓄電池盤２１の各吊り孔２５Ｈに係止させた場合には、溝鋼５２から各吊り孔２５Ｈまでの長さが均等となり、各吊り孔２５Ｈに作用する荷重を略均等に荷重配分することができる。なお、本実施形態では、シャックル５３にＳＣシャックルを用いているが、これに限らず、他のシャックルを用いても良い。
【００１８】
アイボルト５５は、４点吊り用のワイヤー６１の各端部が係止されるワイヤー係止部として機能するものであり、各シャックル５３に作用する吊り加重（蓄電池盤の荷重）をワイヤー６１に均等に作用させるために中央のシャックル５３に対して同じ距離だけ離れた位置に取り付けられている。
また、溝鋼５２には、少なくとも下板部５２Ａと上板部５２Ｂとを架橋するように溶接等で接合される一対の補強板５６が設けられる。この一対の補強板５６は、中央のシャックル５３に対して同じ距離だけ離した位置に設けられ、溝鋼５２を補強し、特に曲げ剛性を向上させることができる。
本実施形態では、この補強板５６が、下板部５２Ａ、上板部５２Ｂおよび連結板部５２Ｃによって形成される溝部にちょうど嵌る矩形板形状に形成されており、溝鋼５２の２点の断面を断面係数が高い中実断面にして溝鋼５２を効率よく補強することができる。
【００１９】
蓄電池盤２１を吊り上げる場合、図５に示すように、この吊り金具５１は一対で使用される。吊り上げを行う前段階では、各々の吊り金具５１を蓄電池盤２１の計６点の吊り孔２５Ｈに係止させる作業が必要となる。
上述したように、各々の吊り金具５１は、蓄電池盤２１の長辺より若干短い長さであるため、吊り金具５１を蓄電池盤２１の天井板２１Ｅ上に載せることができる。しかも、吊り金具５１が一対であるため、各々の吊り金具５１を一対の吊り部２５に近接させて各々配置でき、また、吊り金具５１を置いた状態でシャックル５３が首振り自在である。
【００２０】
すなわち、本実施形態では、一対の吊り金具５１を天井板２１Ｅに載せた状態のままシャックル５３だけを動かしてシャックル５３を吊り孔２５Ｈに係止することができ、仮に吊り金具５１の各シャックル５３が吊り孔２５Ｈから若干ずれた位置であっても、各シャックル５３を各吊り孔２５Ｈに係止することができる。つまり、吊り金具５１を計６個の吊り孔２５Ｈに係止させる作業が容易である。
なお、吊り金具を蓄電池盤の天井板２１Ｅ上に置く場合には、天井板２１Ｅ上に傷つき防止のための養生シートを置いておくことが好ましい。
そして、一対の吊り金具５１の４個のアイボルト５５に取り付けられた４点吊り用のワイヤー６１を図示せぬクレーンで持ち上げることによって、一対の吊り金具５１に対してはワイヤーで４点吊りし、蓄電池盤２１に対しては６点吊りすることができる。
【００２１】
この場合、一対の吊り金具５１は、溝鋼５２から各吊り孔２５Ｈまでの長さが均等の状態で６点吊りするため、蓄電池盤２１を６点で略均等に吊ることができ、吊り姿勢が安定する。このため、蓄電池盤２１を４点吊りする場合よりも各吊り位置に作用する荷重が小さくなり、かつ、各吊り位置への応力集中が回避される。従って、蓄電池盤２１上部に設けられる吊り部２５や蓄電池盤２１の筐体２１Ａの剛性を特に高めなくても、蓄電池盤２１をワイヤーの４点吊りで移載することが可能になる。
【００２２】
以上説明したように、本実施形態の吊り金具５１は、蓄電池盤２１の長辺に沿って配列された３個の吊り孔２５Ｈに対応した数のシャックル５３と、４点吊り用のワイヤー６１を係止するためのアイボルト５５とを備えるので、吊り部２５等の剛性を特に高めなくても、蓄電池盤２１を安定した吊り姿勢で吊り上げることができる。従って、吊り部２５等の剛性向上に伴う蓄電池盤２１の重量増加を避けつつ、安定姿勢で吊り上げることが可能になる。また、この吊り金具５１は、電力変換装置盤１１のワイヤー吊りにも使用可能である。
【００２３】
さらに、本実施形態では、係止部材であるシャックル５３をＵ字ボルト５４を介して揺動自在に支持するので、シャックル５３を各吊り孔２５Ｈに係止する係止作業が容易である。しかも、シャックル５３およびＵ字ボルト５４が剛体であるため、蓄電池盤の吊り長さを精度良く均等に揃えることができ、吊り姿勢の安定性が高い。
また、溝鋼５２、シャックル５３、Ｕ字ボルト５４およびアイボルト５５といった広く流通する一般的な部材を用いて吊り金具５１を形成するので、部品の調達や作成が容易で、コスト削減にも有利である。
【００２４】
上述した実施形態は、あくまでも本発明の一態様を示すものであり、本発明の主旨を逸脱しない範囲で任意に変形及び応用が可能である。
例えば、上述の実施形態では、一対の吊り金具５１を用いる場合について説明したが、これに限らず、一部品で吊り金具を構成しても良い。一部品で吊り金具を構成する場合には、例えば、図６に示すように、上記一対の吊り金具５１を上下一対の連結部材７１、７２で連結すれば良い。なお、ここでは連結部材７１、７７は、それぞれ吊り金具５１に溶接により連結される。
また、上述の実施形態では、吊り金具５１の吊り金具本体に溝鋼５２を用いる場合を説明したが、これに限らず、断面Ｚ形のＺ形鋼等の他の構造用鋼材を用いても良い。
さらに、上述の実施形態では、吊り金具５１が蓄電池盤２１を６点で吊る場合について述べたが、これに限らず、５点や６点より多い多点吊りをするようにしても良い。要は、吊り金具５１が、蓄電池盤２１の長辺に配列された少なくとも３個以上の吊り孔２５Ｈに対応した数のシャックル（係止部材）５３と、４点吊り用のワイヤーを係止するワイヤー係止部とを備えることによって、重量を有する蓄電池盤２１の重量を抑制し、安定姿勢で吊り上げることができる。
【符号の説明】
【００２５】
１０  ＵＰＳ（無停電電源装置）
１１  電力変換装置盤
２１  蓄電池盤（大容量蓄電池盤）
２１Ｆ  ドア板（開閉扉）
２４  枠部材
２５  吊り部
２５Ｈ  吊り孔
２７  連結部
２７  連結部
２７Ｈ  連結用孔
２８  補強用プレート
３１  制御弁式鉛蓄電池
５２  溝鋼
５３  シャックル（係止部材）
５４  Ｕ字ボルト（支持部材）
５５  アイボルト（ワイヤー係止部）
５６  補強板
６１  ４点吊り用のワイヤー
【図１】
2010277788.tif 000003
【図２】
2010277788.tif 000004
【図３】
2010277788.tif 000005
【図４】
2010277788.tif 000006
【図５】
2010277788.tif 000007
【図６】
2010277788.tif 000008